(57)【要約】【課題】テレビジョン装置の表示と携帯端末装置の表示とを同期させることができるコンテンツ表示システムを提供すること。【解決手段】本発明にかかるコンテンツ表示システムは、放送コンテンツを表示する放送コンテンツ表示装置１０と、放送コンテンツに関連した情報である関連コンテンツを表示する通信装置２０と、を備える。通信装置２０は、放送コンテンツ表示装置１０において、現在表示されている第１の放送コンテンツが第２の放送コンテンツへ切り替えられる際に、第２の放送コンテンツを表示可能な状態になったことを検出し、第２の放送コンテンツを表示可能な状態になったことを検出した後に関連コンテンツを表示するものである。【選択図】図１
2015149702.tif 000002
【特許請求の範囲】
【請求項１】
放送コンテンツを表示する放送コンテンツ表示装置と、
前記放送コンテンツに関連した情報である関連コンテンツを表示する通信装置と、を備え、
前記通信装置は、
前記放送コンテンツ表示装置において、現在表示されている第１の放送コンテンツが第２の放送コンテンツへ切り替えられる際に、前記第２の放送コンテンツを表示可能な状態になったことを検出し、
前記第２の放送コンテンツを表示可能な状態になったことを検出した後に前記関連コンテンツを表示する、コンテンツ表示システム。
【請求項２】
前記通信装置は、
前記放送コンテンツ表示装置において、前記第１の放送コンテンツが前記第２の放送コンテンツへ切り替えられることを検出すると、前記第２の放送コンテンツに関連する前記関連コンテンツを受信するコンテンツ格納装置と、前記関連コンテンツを表示する情報端末とを有し、
前記情報端末は、
前記コンテンツ格納装置に格納された前記関連コンテンツを取得し、
前記第２の放送コンテンツを表示可能な状態になった後に、前記関連コンテンツを表示する、請求項１に記載のコンテンツ表示システム。
【請求項３】
前記放送コンテンツ表示装置は、
前記第２の放送コンテンツを表示可能な状態になったことを通知するコンテンツ切替完了メッセージを前記コンテンツ格納装置へ送信し、
前記コンテンツ格納装置は、
前記コンテンツ切替完了メッセージを受信すると、前記第２の放送コンテンツに関連する関連コンテンツを前記情報端末へ送信する、請求項２に記載のコンテンツ表示システム。
【請求項４】
前記放送コンテンツ表示装置は、
前記第２の放送コンテンツを表示可能な状態になったことを通知するコンテンツ切替完了メッセージを前記情報端末へ送信し、
前記情報端末は、
前記放送コンテンツ表示装置において前記第１の放送コンテンツが前記第２の放送コンテンツへ切り替えられることを検出した前記コンテンツ格納装置から、予め前記第２の放送コンテンツに関連する関連コンテンツを取得し、前記コンテンツ切替完了メッセージを受信すると、前記第２の放送コンテンツに関連する関連コンテンツを表示する、請求項２に記載のコンテンツ表示システム。
【請求項５】
放送コンテンツ表示装置において表示する放送コンテンツに関連した情報である関連コンテンツを取得するコンテンツ取得部と、
前記放送コンテンツ表示装置において、現在表示されている第１の放送コンテンツが第２の放送コンテンツへ切り替えられる際に、前記第２の放送コンテンツを表示可能な状態になったことを検出する状態検出部と、
前記放送コンテンツ表示装置において前記第２の放送コンテンツを表示可能な状態になったことを検出した後に、前記第２の放送コンテンツに関連する関連コンテンツを表示するコンテンツ表示部と、を備える通信装置。
【請求項６】
放送コンテンツ表示装置において、第１の放送コンテンツが第２の放送コンテンツへ切り替えられることを検出する検出部と、
第１の放送コンテンツが第２の放送コンテンツへ切り替えられることを検出すると前記第２の放送コンテンツに関連した情報である関連コンテンツを受信するコンテンツ受信部と、
前記放送コンテンツ表示装置から、前記第２の放送コンテンツを表示可能な状態になったことを通知するコンテンツ切替完了メッセージを受信するメッセージ受信部と、
前記コンテンツ切替完了メッセージを受信すると、前記第２の放送コンテンツに関連する前記関連コンテンツを情報端末へ送信する端末通信部と、を備える、コンテンツ格納装置。
【請求項７】
放送コンテンツ表示装置において、第１の放送コンテンツが第２の放送コンテンツへ切り替えられる際に、前記放送コンテンツ表示装置における切替動作が完了する前に、前記第２の放送コンテンツに関連した情報である関連コンテンツを取得し、格納する格納部と、
前記放送コンテンツ表示装置から、前記第２の放送コンテンツを表示可能な状態になったことを通知するコンテンツ切替完了メッセージを受信するメッセージ受信部と、
前記コンテンツ切替完了メッセージを受信すると、前記第２の放送コンテンツに関連する前記関連コンテンツを再生する再生部と、を備える情報端末。
【請求項８】
放送コンテンツを表示する表示部と、
前記表示部において現在表示されている第１の放送コンテンツを第２の放送コンテンツへ切り替える際に、前記第２の放送コンテンツを表示可能な状態になったことを通知するコンテンツ切替メッセージを生成するメッセージ生成部と、
前記コンテンツ切替メッセージを、前記第２の放送コンテンツに関連する情報である関連コンテンツを格納する関連コンテンツ格納装置もしくは前記関連コンテンツを表示する情報端末へ送信する、放送コンテンツ表示装置。
【請求項９】
放送コンテンツ表示装置において現在表示されている第１の放送コンテンツが第２の放送コンテンツへ切り替えられる際に、前記第２の放送コンテンツを表示可能な状態になったことを検出し、
前記第２の放送コンテンツに関連した情報である関連コンテンツを取得し、
取得した前記関連コンテンツを表示する、コンテンツ表示方法。
【請求項１０】
放送コンテンツ表示装置において現在表示されている第１の放送コンテンツが第２の放送コンテンツへ切り替えられる際に、前記第２の放送コンテンツを表示可能な状態になったことを検出し、
前記第２の放送コンテンツに関連した情報である関連コンテンツを取得し、
取得した前記関連コンテンツを表示することをコンピュータに実行させるプログラム。
【発明の詳細な説明】
【技術分野】
【０００１】
本発明はコンテンツ表示システム、コンテンツ格納装置、情報端末、コンテンツ表示方法及びプログラムに関し、特に放送コンテンツを表示するコンテンツ表示システム、コンテンツ格納装置、情報端末、コンテンツ表示方法及びプログラムに関する。
【背景技術】
【０００２】
近年、地上デジタルテレビ放送の普及に伴い、テレビにおいて放送番組を視聴するとともに放送番組に関連するデータ放送もあわせて視聴することが浸透してきている。さらに、テレビにおいて放送番組に関するコンテンツ情報を受信し、放送番組に関連する情報をパーソナルコンピュータ、ＰＤＡ（Personal Digital Assistant）端末、携帯電話端末もしくはスマートフォン端末等において受信するシステムも検討されている。このようにすることによって、視聴者は、テレビにおいて放送番組を視聴しながら、関連する情報をスマートフォン端末等を用いて確認することができる。
【０００３】
特許文献１には、放送波を受信した放送蓄積受信出力装置が、放送番組をテレビへ出力し、さらに、テレビに表示されている放送番組に関連するコンテンツを携帯端末装置へ出力するテレビ番組同期連携システムの構成が開示されている。特許文献１に開示されているシステムを構成する携帯端末装置は、リモコン機能を実装し、携帯端末装置に入力された放送チャンネル識別情報をテレビジョン装置へ送信する。これによって、テレビジョン装置に表示される放送番組と、携帯端末装置において表示させるコンテンツ情報とを同期することができる。
【先行技術文献】
【特許文献】
【０００４】
【特許文献１】特開２００７−３６５２３号公報
【発明の概要】
【発明が解決しようとする課題】
【０００５】
しかし、特許文献１に開示されているテレビ番組同期連携システムにおいては、携帯端末装置とテレビジョン装置とのそれぞれにおいて情報が表示されるタイミングを同期させることができないという問題がある。例えば、リモコン機能を実装している携帯端末装置に放送チャンネル識別情報を入力した際に、携帯端末装置に表示される情報が即座に切り替わり、携帯端末装置から放送チャンネル識別情報を受信したテレビジョン装置において、指定された放送チャンネルの放送番組を表示するために時間を要することが考えられる。そのため、携帯端末装置において、テレビジョン装置に表示されている放送番組に関連するコンテンツを表示させるというサービスを提供する際に、テレビジョン装置の放送チャンネルを切り替えた場合、テレビジョン装置において放送チャンネルが切替わる前に、携帯端末装置に表示される情報が切替わってしまうことがある。
【０００６】
本発明の目的は、上記の課題を解決するために、テレビジョン装置の表示と携帯端末装置の表示とを同期させることができるコンテンツ表示システム、コンテンツ格納装置、情報端末、コンテンツ表示方法及びプログラムを提供することにある。
【課題を解決するための手段】
【０００７】
本発明の第１の態様にかかるコンテンツ表示システムは、放送コンテンツを表示する放送コンテンツ表示装置と、前記放送コンテンツに関連した情報である関連コンテンツを表示する通信装置と、を備え、前記通信装置は、前記放送コンテンツ表示装置において、現在表示されている第１の放送コンテンツが第２の放送コンテンツへ切り替えられる際に、前記第２の放送コンテンツを表示可能な状態になったことを検出し、前記第２の放送コンテンツを表示可能な状態になったことを検出した後に前記関連コンテンツを表示するものである。
【０００８】
本発明の第２の態様にかかるコンテンツ格納装置は、放送コンテンツ表示装置において、第１の放送コンテンツが第２の放送コンテンツへ切り替えられることを検出する検出部と、第１の放送コンテンツが第２の放送コンテンツへ切り替えられることを検出すると前記第２の放送コンテンツに関連した情報である関連コンテンツを受信するコンテンツ受信部と、前記放送コンテンツ表示装置から、前記第２の放送コンテンツを表示可能な状態になったことを通知するコンテンツ切替完了メッセージを受信するメッセージ受信部と、前記コンテンツ切替完了メッセージを受信すると、前記第２の放送コンテンツに関連する前記関連コンテンツを情報端末へ送信する端末通信部と、を備えるものである。
【０００９】
本発明の第３の態様にかかる情報端末は、放送コンテンツ表示装置において、第１の放送コンテンツが第２の放送コンテンツへ切り替えられる際に、前記放送コンテンツ表示装置における切替動作が完了する前に、前記第２の放送コンテンツに関連した情報である関連コンテンツを取得し、格納する格納部と、前記放送コンテンツ表示装置から、前記第２の放送コンテンツを表示可能な状態になったことを通知するコンテンツ切替完了メッセージを受信するメッセージ受信部と、前記コンテンツ切替完了メッセージを受信すると、前記第２の放送コンテンツに関連する前記関連コンテンツを再生する再生部と、を備えるものである。
【００１０】
本発明の第４の態様にかかるコンテンツ表示方法は、放送コンテンツ表示装置において現在表示されている第１の放送コンテンツが第２の放送コンテンツへ切り替えられる際に、前記第２の放送コンテンツを表示可能な状態になったことを検出し、前記第２の放送コンテンツに関連した情報である関連コンテンツを取得し、取得した前記関連コンテンツを表示するものである。
【００１１】
本発明の第５の態様にかかるプログラムは、放送コンテンツ表示装置において現在表示されている第１の放送コンテンツが第２の放送コンテンツへ切り替えられる際に、前記第２の放送コンテンツを表示可能な状態になったことを検出し、前記第２の放送コンテンツに関連した情報である関連コンテンツを取得し、取得した前記関連コンテンツを表示することをコンピュータに実行させるものである。
【発明の効果】
【００１２】
本発明により、テレビジョン装置の表示と携帯端末装置の表示とを同期させることができるコンテンツ表示システム、コンテンツ格納装置、情報端末、コンテンツ表示方法及びプログラムを提供することができる。
【図面の簡単な説明】
【００１３】
【図１】実施の形態１にかかるコンテンツ表示システムの構成図である。
【図２】実施の形態２にかかるコンテンツ表示システムの構成図である。
【図３】実施の形態２にかかる放送コンテンツ表示装置の構成図である。
【図４】実施の形態２にかかるコンテンツ格納装置の構成図である。
【図５】実施の形態２にかかるコンテンツ表示処理の流れを示す図である。
【図６】実施の形態３にかかるコンテンツ格納装置の構成図である。
【図７】実施の形態３にかかる情報端末の構成図である。
【図８】実施の形態３にかかるコンテンツ表示処理の流れを示す図である。
【発明を実施するための形態】
【００１４】
（実施の形態１）
以下、図面を参照して本発明の実施の形態について説明する。はじめに図１を用いて本発明の実施の形態１にかかるコンテンツ表示システムの構成例について説明する。図１のコンテンツ表示システムは、放送コンテンツ表示装置１０及び通信装置２０を有している。
【００１５】
放送コンテンツ表示装置１０は、放送コンテンツを表示する装置である。放送コンテンツは、例えば、電波塔から無線回線を介して送信されるテレビ番組に関するコンテンツデータである。放送コンテンツ表示装置は、例えばテレビジョン装置であってもよい。もしくは、放送コンテンツ表示装置は、デジタルテレビチューナーを有するコンピュータ装置等であってもよい。放送コンテンツ表示装置１０は、受信した放送コンテンツを復号処理等して、液晶ディスプレイ等の表示部へ表示する。
【００１６】
通信装置２０は、放送コンテンツに関連した情報である関連コンテンツを表示する装置である。関連コンテンツは、放送コンテンツの内容を補足する情報であり、例えば映像データ、数値データもしくは文字データ等であってもよい。通信装置２０は、例えば、電波塔から無線回線を介して送信される関連コンテンツデータを受信してもよく、他の通信装置を介して関連コンテンツデータを受信してもよい。
【００１７】
続いて、放送コンテンツ表示装置１０及び通信装置２０の動作について説明する。放送コンテンツ表示装置１０は、表示する放送コンテンツを切り替えることができる。例えば、視聴者が、リモコン等を用いてチャンネル情報を入力することによって、放送コンテンツ表示装置１０は、表示する放送コンテンツを変更してもよい。放送コンテンツ表示装置１０が現在表示している放送コンテンツを、切替前放送コンテンツとし、切り替え後の放送コンテンツを切替後放送コンテンツとする。
【００１８】
ここで、放送コンテンツ表示装置１０は、表示する放送コンテンツを切り替える際に、切替処理に所定の時間を必要とする。例えば、切替処理には、入力されたチャンネル情報に対応する放送コンテンツを特定する処理、特定した放送コンテンツを受信する処理及び、特定した放送コンテンツを復号する処理等が含まれてもよい。例えば、所定の時間は、数秒程度であってもよい。
【００１９】
通信装置２０は、放送コンテンツ表示装置１０において、切替後放送コンテンツを表示可能な状態になったことを検出する。例えば、通信装置２０は、放送コンテンツ表示装置１０が、切替後放送コンテンツを表示可能な状態になったことを通知するメッセージを送信する場合、送信されたメッセージを受信することによって、放送コンテンツ表示装置１０において切替後放送コンテンツを表示可能な状態になったことを検出してもよい。もしくは、通信装置２０は、他の通信装置を介して放送コンテンツ表示装置１０から送信されたメッセージを受信してもよい。
【００２０】
通信装置２０は、放送コンテンツ表示装置１０において、切替後放送コンテンツを表示可能な状態になったことを検出した後に、切替後放送コンテンツに関連する関連コンテンツを表示する。
【００２１】
以上説明したように、図１のコンテンツ表示システムを用いることによって、放送コンテンツ表示装置１０における放送コンテンツの表示タイミングと、通信装置２０における関連コンテンツの表示タイミングとを同期させることができる。そのため、通信装置２０は、放送コンテンツ表示装置１０に切替後放送コンテンツが表示された後、もしくは、実質的に放送コンテンツ表示装置１０に切替後放送コンテンツが表示されると同時に、切替後放送コンテンツに関連する関連コンテンツを表示することができる。これによって、放送コンテンツ表示装置１０において表示する放送コンテンツを切り替える際に、放送コンテンツ表示装置１０における切替処理が完了する前に、通信装置２０において切替後放送コンテンツに関連する関連コンテンツを表示する事象を防止することができる。
【００２２】
（実施の形態２）
続いて、図２を用いて本発明の実施の形態２にかかるコンテンツ表示システムの構成例について説明する。本図のコンテンツ表示システムは、放送コンテンツ表示装置１０、情報端末４０及びコンテンツ格納装置３０を有している。放送コンテンツ表示装置１０は、図１の放送コンテンツ表示装置１０と同様であるため詳細な説明を省略する。さらに、図１の通信装置２０は、コンテンツ格納装置３０及び情報端末４０に対応する。コンテンツ格納装置３０は、放送コンテンツ表示装置１０及び情報端末４０と、有線ＬＡＮ（Local Area Network）もしくは無線ＬＡＮ等を用いて接続してもよい。
【００２３】
コンテンツ格納装置３０は、放送コンテンツ表示装置１０において表示されている放送コンテンツに関連する関連コンテンツを格納する。例えば、放送コンテンツ表示装置１０は、放送事業者が放送コンテンツとともに関連コンテンツを配信する場合、無線回線を介して関連コンテンツを受信してもよい。さらに、コンテンツ格納装置３０は、放送コンテンツ表示装置１０において表示される放送コンテンツが切替わることを検出した場合に、切替後放送コンテンツに関連する関連コンテンツを受信してもよい。具体的には、コンテンツ格納装置３０は、複数の関連コンテンツを受信している場合に、切替後放送コンテンツに関連する関連コンテンツを選択して受信してもよい。
【００２４】
情報端末４０は、放送コンテンツ表示装置１０において切替後放送コンテンツを表示可能な状態になった場合に、コンテンツ格納装置３０に格納されている切替後放送コンテンツに関連する関連コンテンツを取得する。情報端末４０は、取得した関連コンテンツを表示する。例えば、コンテンツ格納装置３０は、放送コンテンツ表示装置１０において切替後放送コンテンツを表示可能な状態になったことを検出した場合に、切替後放送コンテンツに関連する関連コンテンツを情報端末４０へ送信してもよい。情報端末４０は、携帯電話端末、スマートフォン端末、ＰＤＡ（Personal Digital Assistant）端末もしくはパーソナルコンピュータ等のコンピュータ装置であってもよい。
【００２５】
続いて、図３を用いて本発明の実施の形態２にかかる放送コンテンツ表示装置１０の構成例について説明する。放送コンテンツ表示装置１０は、放送コンテンツ受信部１１及び通信部１２を有している。
【００２６】
放送コンテンツ受信部１１は、無線回線を介して放送事業者等から配信される放送コンテンツを受信する。放送コンテンツ受信部１１は、無線データを受信するアンテナ及び所望のチャンネルに対応する放送コンテンツを受信するためのチューナ等を有してもよい。放送コンテンツ受信部１１は、チャンネルが切替えられた場合、現在受信している放送コンテンツとは異なる放送コンテンツであって、切替後のチャンネルに対応する放送コンテンツを受信する。また、放送コンテンツ受信部１１は、受信した放送コンテンツを表示する。
【００２７】
通信部１２は、表示される放送コンテンツが切替わることを通知するチャンネル情報通知メッセージ及び切替後放送コンテンツを表示可能な状態になったことを通知する切替完了情報通知メッセージをコンテンツ格納装置３０へ送信する。
【００２８】
続いて、図４を用いて本発明の実施の形態２にかかるコンテンツ格納装置３０の構成例について説明する。コンテンツ格納装置３０は、検出部３１、関連コンテンツ受信部３２、関連コンテンツ格納部３３、メッセージ受信部３４及び端末通信部３５を有している。
【００２９】
検出部３１は、放送コンテンツ表示装置１０から送信されたチャネル情報通知メッセージを受信する。検出部３１は、チャネル情報通知メッセージを受信することによって、放送コンテンツ表示装置１０において、現在表示されている放送コンテンツが異なる放送コンテンツに切り替わることを検出する。検出部３１は、切替後放送コンテンツに対応するチャンネル情報を関連コンテンツ受信部３２へ出力する。
【００３０】
関連コンテンツ受信部３２は、切替後放送コンテンツに対応するチャンネル情報を受け取ると、受け取ったチャンネル情報に対応する関連コンテンツを受信する。具体的には、関連コンテンツ受信部３２は、切替前放送コンテンツに関連する関連コンテンツを受信しているとする。関連コンテンツは、例えば、放送事業者が、放送コンテンツとともに無線回線を介して配信しているコンテンツである。関連コンテンツ受信部３２は、チャネル情報を受け取ると、現在受信している関連コンテンツの受信を停止し、切替後放送コンテンツに関連する関連コンテンツを受信する。
【００３１】
関連コンテンツ受信部３２は、切替後放送コンテンツに関連する関連コンテンツを受信すると、受信した関連コンテンツを関連コンテンツ格納部３３へ格納する。関連コンテンツ格納部３３は、例えば、コンテンツ格納装置３０内に設けられているメモリ等であってもよく、コンテンツ格納装置３０の外部に接続される記憶媒体装置等であってもよい。
【００３２】
メッセージ受信部３４は、放送コンテンツ表示装置１０から送信された切替完了情報通知メッセージを受信する。メッセージ受信部３４は、切替完了情報通知メッセージを受信することによって、放送コンテンツ表示装置１０において、切替後放送コンテンツを表示可能状態になったことを検出する。メッセージ受信部３４は、切替完了情報通知メッセージもしくは放送コンテンツ表示装置１０において、切替後放送コンテンツを表示可能状態になったことを示す情報を端末通信部３５へ出力する。
【００３３】
端末通信部３５は、メッセージ受信部３４から切替完了情報通知メッセージもしくは放送コンテンツ表示装置１０において、切替後放送コンテンツを表示可能状態になったことを示す情報を受け取ると、関連コンテンツ格納部３３に格納されている切替後放送コンテンツに関連する関連コンテンツを情報端末４０へ送信する。
【００３４】
なお、図４においては、検出部３１及びメッセージ受信部３４を異なる構成要素として説明しているが、検出部３１及びメッセージ受信部３４は、放送コンテンツ表示装置１０と通信を行う通信部として共通の構成要素であってもよい。
【００３５】
続いて、図５を用いて本発明の実施の形態２にかかるコンテンツ表示システムにおけるコンテンツ表示処理の流れについて説明する。はじめに、放送コンテンツ表示装置１０は、切替後のチャンネルを決定する（Ｓ１１）。次に、放送コンテンツ表示装置１０は、切替後のチャンネル情報を設定したチャンネル情報通知メッセージをコンテンツ格納装置３０へ送信する（Ｓ１２）。
【００３６】
放送コンテンツ表示装置１０は、チャンネル情報通知メッセージをコンテンツ格納装置３０へ送信した後に、チャンネル切替動作を開始する（Ｓ１３）。チャンネル切替動作は、例えば、切替後のチャンネル情報に対応する放送コンテンツを特定する処理、及び、特定した放送コンテンツを復号する処理等であってもよい。次に、放送コンテンツ表示装置１０は、チャンネル切替動作を完了する（Ｓ１４）。チャンネル切替動作の完了とは、例えば、切替後放送コンテンツを表示することができる状態になったことであってもよい。
【００３７】
次に、放送コンテンツ表示装置１０は、切替完了情報通知メッセージをコンテンツ格納装置３０へ送信する（Ｓ１５）。次に、放送コンテンツ表示装置１０は、切替後放送コンテンツを表示する（Ｓ１６）。
【００３８】
コンテンツ格納装置３０は、ステップＳ１２において、チャンネル情報通知メッセージを受信すると、チャンネル情報通知メッセージに設定された切替後のチャンネルに対応する関連コンテンツを受信する（Ｓ１７）。また、コンテンツ格納装置３０は、受信した関連コンテンツを関連コンテンツ格納部３３へ格納しておく。次に、コンテンツ格納装置３０は、ステップＳ１５において切替完了情報通知メッセージを受信すると、関連コンテンツ格納部３３において格納した関連コンテンツを情報端末４０へ送信する（Ｓ１８）。
【００３９】
情報端末４０は、ステップＳ１８において、関連コンテンツを受信すると、受信した関連コンテンツを表示、もしくは再生する（Ｓ１９）。
【００４０】
以上説明したように、本発明の実施の形態２にかかるコンテンツ表示システムを用いることによって、放送コンテンツ表示装置１０は、チャンネル切替動作が完了した後、つまり、切替後放送コンテンツを表示可能な状態になった後に、切替完了情報通知メッセージをコンテンツ格納装置３０へ送信する。さらに、コンテンツ格納装置３０は、切替完了情報通知メッセージを受信すると、切替後放送コンテンツに関連する関連コンテンツを情報端末４０へ送信する。このように動作することによって、情報端末４０は、放送コンテンツ表示装置１０において、切替後放送コンテンツを表示するタイミングに同期して切替後放送コンテンツに関連する関連コンテンツを表示することができる。そのため、放送コンテンツ表示装置１０に表示される放送コンテンツが切替わる前に、情報端末４０において切替後放送コンテンツに関連する関連コンテンツを表示することを防止することができる。
【００４１】
また、実施の形態２においては、コンテンツ格納装置３０は、放送コンテンツ表示装置１０において表示される放送コンテンツが切替わることを、放送コンテンツ表示装置１０から送信されるチャンネル情報通知メッセージを受信することによって検出することができる動作について説明した。しかし、コンテンツ格納装置３０は、異なる方法を用いて、放送コンテンツ表示装置１０において表示される放送コンテンツが切替わることを検出してもよい。
【００４２】
例えば、放送コンテンツ表示装置１０及びコンテンツ格納装置３０が、ともに、視聴者が操作するリモコン装置から送信される赤外線を受信することができる赤外線受信部を有するとする。このような場合、放送コンテンツ表示装置１０及びコンテンツ格納装置３０は、リモコン装置から送信される切替後のチャンネル情報を受信することができる。つまり、コンテンツ格納装置３０は、放送コンテンツ表示装置１０から送信されるチャンネル情報通知メッセージを受信することなく、リモコン装置から送信される切替後のチャンネル情報を受信することによって、放送コンテンツ表示装置１０において表示される放送コンテンツが切替わることを検出してもよい。
【００４３】
（実施の形態３）
続いて、図６を用いて本発明の実施の形態３にかかるコンテンツ格納装置５０の構成例について説明する。コンテンツ格納装置５０は、検出部３１、関連コンテンツ受信部３２及び端末通信部３５を有している。つまり、コンテンツ格納装置５０は、図４において説明したコンテンツ格納装置３０から、関連コンテンツ格納部３３及びメッセージ受信部３４を除いた構成である。
【００４４】
検出部３１は、放送コンテンツ表示装置１０から送信されたチャネル情報通知メッセージを受信する。検出部３１は、切替後放送コンテンツに対応するチャンネル情報を関連コンテンツ受信部３２へ出力する。関連コンテンツ受信部３２は、切替後放送コンテンツに対応するチャンネル情報を受け取ると、受け取ったチャンネル情報に対応する関連コンテンツを受信する。関連コンテンツ受信部３２は、切替後放送コンテンツに関連する関連コンテンツを受信すると、受信した関連コンテンツを端末通信部３５へ出力する。
【００４５】
端末通信部３５は、関連コンテンツ受信部３２から出力された切替後放送コンテンツに関連する関連コンテンツを受け取ると、受け取った関連コンテンツを情報端末６０へ送信する。
【００４６】
つまり、コンテンツ格納装置５０は、コンテンツ格納装置３０と異なり、切替完了情報通知メッセージを受信することなく、切替後放送コンテンツに関連する関連コンテンツを情報端末６０へ送信する。
【００４７】
続いて、図７を用いて本発明の実施の形態３にかかる情報端末６０の構成例について説明する。情報端末６０は、関連コンテンツ格納部６１、メッセージ受信部６２及び関連コンテンツ再生部６３を有している。
【００４８】
関連コンテンツ格納部６１は、コンテンツ格納装置５０から送信された関連コンテンツを格納する。コンテンツ格納装置５０から送信された関連コンテンツは、放送コンテンツ表示装置１０における切替後放送コンテンツに関連する関連コンテンツである。メッセージ受信部６２は、放送コンテンツ表示装置１０から送信された切替完了情報通知メッセージを受信する。メッセージ受信部６２は、切替完了情報通知メッセージを受信すると、受信した切替完了情報通知メッセージもしくは放送コンテンツ表示装置１０において表示されている放送コンテンツが切替わったことを示すメッセージを関連コンテンツ再生部６３へ出力する。
【００４９】
関連コンテンツ再生部６３は、メッセージ受信部６２から出力された切替完了情報通知メッセージもしくは放送コンテンツ表示装置１０において表示されている放送コンテンツが切替わったことを示すメッセージを受け取ると、関連コンテンツ格納部６１に蓄積されている関連コンテンツを取得する。関連コンテンツ再生部６３は、取得した関連コンテンツを再生する。
【００５０】
続いて、図８を用いて本発明の実施の形態３にかかるコンテンツ表示処理の流れについて説明する。放送コンテンツ表示装置１０における処理であるステップＳ２１〜Ｓ２６は、図５のステップＳ１１〜Ｓ１６と同様であるため詳細な説明を省略する。
【００５１】
コンテンツ格納装置５０は、ステップＳ２２において、チャンネル情報通知メッセージを受信すると、チャンネル情報通知メッセージに設定された切替後のチャンネルに対応する関連コンテンツを受信する（Ｓ２７）。次に、コンテンツ格納装置５０は、受信した関連コンテンツを情報端末６０へ送信する（Ｓ２８）。次に、情報端末６０は、コンテンツ格納装置５０から送信された関連コンテンツを関連コンテンツ格納部６１に格納する（Ｓ２９）。
【００５２】
次に、情報端末６０は、ステップＳ２５において切替完了情報通知メッセージを受信すると、ステップＳ２９において関連コンテンツ格納部６１に格納した関連コンテンツを抽出し、抽出した関連コンテンツを再生する（Ｓ３０）。
【００５３】
以上説明したように、本発明の実施の形態３にかかるコンテンツ格納装置５０は、受信した関連コンテンツを、切替完了情報通知メッセージを受信しなくとも情報端末６０へ送信する。また、情報端末６０は、コンテンツ格納装置５０から送信された関連コンテンツを格納する関連コンテンツ格納部６１を有する。そのため、情報端末６０は、放送コンテンツ表示装置１０から送信された切替完了情報通知メッセージを受信すると、関連コンテンツ格納部６１に格納された関連コンテンツを再生することができる。
【００５４】
実施の形態２にかかるコンテンツ表示システムにおいては、コンテンツ格納装置３０が、切替完了情報通知メッセージを受信した後に、関連コンテンツを情報端末６０へ送信していたが、実施の形態３にかかるコンテンツ表示システムは、情報端末６０が、切替完了情報通知メッセージを受信すると、既に格納されている関連コンテンツを再生することができる。そのため、実施の形態３にかかるコンテンツ表示システムは、実施の形態２にかかるコンテンツ表示システムと比較して、放送コンテンツ表示装置１０において放送コンテンツが切替わってから、情報端末６０において切替後放送コンテンツに関連する関連コンテンツを表示もしくは再生する期間が短くすることができる。
【００５５】
上述の実施の形態では、本発明をハードウェアの構成として説明したが、本発明は、これに限定されるものではない。本発明は、図５及び図８において説明した各装置における処理を、ＣＰＵ（Central Processing Unit）にコンピュータプログラムを実行させることにより実現することも可能である。）
【００５６】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５７】
なお、本発明は上記実施の形態に限られたものではなく、趣旨を逸脱しない範囲で適宜変更することが可能である。
【００５８】
（付記１）放送コンテンツを表示する放送コンテンツ表示装置と、前記放送コンテンツに関連した情報である関連コンテンツを表示する通信装置と、を備え、前記通信装置は、前記放送コンテンツ表示装置において、現在表示されている第１の放送コンテンツが第２の放送コンテンツへ切り替えられる際に、前記第２の放送コンテンツを表示可能な状態になったことを検出し、前記第２の放送コンテンツを表示可能な状態になったことを検出した後に前記関連コンテンツを表示する、コンテンツ表示システム。
（付記２）前記通信装置は、前記放送コンテンツ表示装置において、前記第１の放送コンテンツが前記第２の放送コンテンツへ切り替えられることを検出すると、前記第２の放送コンテンツに関連する前記関連コンテンツを受信するコンテンツ格納装置と、前記関連コンテンツを表示する情報端末とを有し、前記情報端末は、前記コンテンツ格納装置に格納された前記関連コンテンツを取得し、前記第２の放送コンテンツを表示可能な状態になった後に、前記関連コンテンツを表示する、付記１に記載のコンテンツ表示システム。
（付記３）前記放送コンテンツ表示装置は、前記第２の放送コンテンツを表示可能な状態になったことを通知するコンテンツ切替完了メッセージを前記コンテンツ格納装置へ送信し、前記コンテンツ格納装置は、前記コンテンツ切替完了メッセージを受信すると、前記第２の放送コンテンツに関連する関連コンテンツを前記情報端末へ送信する、付記２に記載のコンテンツ表示システム。
（付記４）前記放送コンテンツ表示装置は、前記第２の放送コンテンツを表示可能な状態になったことを通知するコンテンツ切替完了メッセージを前記情報端末へ送信し、前記情報端末は、前記放送コンテンツ表示装置において前記第１の放送コンテンツが前記第２の放送コンテンツへ切り替えられることを検出した前記コンテンツ格納装置から、予め前記第２の放送コンテンツに関連する関連コンテンツを取得し、前記コンテンツ切替完了メッセージを受信すると、前記第２の放送コンテンツに関連する関連コンテンツを表示する、付記２に記載のコンテンツ表示システム。
（付記５）放送コンテンツ表示装置において表示する放送コンテンツに関連した情報である関連コンテンツを取得するコンテンツ取得部と、前記放送コンテンツ表示装置において、現在表示されている第１の放送コンテンツが第２の放送コンテンツへ切り替えられる際に、前記第２の放送コンテンツを表示可能な状態になったことを検出する状態検出部と、前記放送コンテンツ表示装置において前記第２の放送コンテンツを表示可能な状態になったことを検出した後に、前記第２の放送コンテンツに関連する関連コンテンツを表示するコンテンツ表示部と、を備える通信装置。
（付記６）放送コンテンツ表示装置において、第１の放送コンテンツが第２の放送コンテンツへ切り替えられることを検出する検出部と、第１の放送コンテンツが第２の放送コンテンツへ切り替えられることを検出すると前記第２の放送コンテンツに関連した情報である関連コンテンツを受信するコンテンツ受信部と、前記放送コンテンツ表示装置から、前記第２の放送コンテンツを表示可能な状態になったことを通知するコンテンツ切替完了メッセージを受信するメッセージ受信部と、前記コンテンツ切替完了メッセージを受信すると、前記第２の放送コンテンツに関連する前記関連コンテンツを情報端末へ送信する端末通信部と、を備える、コンテンツ格納装置。
（付記７）前記関連コンテンツを格納するコンテンツ格納部をさらに備え、前記端末通信部は、前記コンテンツ切替完了メッセージを受信すると、前記コンテンツ格納部に格納された前記関連コンテンツを前記情報端末へ送信する、付記６に記載のコンテンツ格納装置。
（付記８）放送コンテンツ表示装置において、第１の放送コンテンツが第２の放送コンテンツへ切り替えられる際に、前記放送コンテンツ表示装置における切替動作が完了する前に、前記第２の放送コンテンツに関連した情報である関連コンテンツを取得し、格納する格納部と、前記放送コンテンツ表示装置から、前記第２の放送コンテンツを表示可能な状態になったことを通知するコンテンツ切替完了メッセージを受信するメッセージ受信部と、前記コンテンツ切替完了メッセージを受信すると、前記第２の放送コンテンツに関連する前記関連コンテンツを再生する再生部と、を備える情報端末。
（付記９）前記格納部は、放送コンテンツ表示装置において、第１の放送コンテンツが第２の放送コンテンツへ切り替えられる際に、前記第２の放送コンテンツに関連した情報である関連コンテンツを取得したコンテンツ格納装置から前記関連コンテンツを取得する、付記８に記載の情報端末。
（付記１０）放送コンテンツを表示する表示部と、前記表示部において現在表示されている第１の放送コンテンツを第２の放送コンテンツへ切り替える際に、前記第２の放送コンテンツを表示可能な状態になったことを通知するコンテンツ切替メッセージを生成するメッセージ生成部と、前記コンテンツ切替メッセージを、前記第２の放送コンテンツに関連する情報である関連コンテンツを格納する関連コンテンツ格納装置もしくは前記関連コンテンツを表示する情報端末へ送信する、放送コンテンツ表示装置。
（付記１１）放送コンテンツ表示装置において現在表示されている第１の放送コンテンツが第２の放送コンテンツへ切り替えられる際に、前記第２の放送コンテンツを表示可能な状態になったことを検出し、前記第２の放送コンテンツに関連した情報である関連コンテンツを取得し、取得した前記関連コンテンツを表示する、コンテンツ表示方法。
（付記１２）放送コンテンツ表示装置において現在表示されている第１の放送コンテンツが第２の放送コンテンツへ切り替えられる際に、前記第２の放送コンテンツを表示可能な状態になったことを検出し、前記第２の放送コンテンツに関連した情報である関連コンテンツを取得し、取得した前記関連コンテンツを表示することをコンピュータに実行させるプログラム。
【符号の説明】
【００５９】
１０  放送コンテンツ表示装置
１１  放送コンテンツ受信部
１２  通信部
２０  通信装置
３０  コンテンツ格納装置
３１  検出部
３２  関連コンテンツ受信部
３３  関連コンテンツ格納部
３４  メッセージ受信部
３５  端末通信部
４０  情報端末
５０  コンテンツ格納装置
６０  情報端末
６１  関連コンテンツ格納部
６２  メッセージ受信部
６３  関連コンテンツ再生部
【図１】
2015149702.tif 000003
【図２】
2015149702.tif 000004
【図３】
2015149702.tif 000005
【図４】
2015149702.tif 000006
【図５】
2015149702.tif 000007
【図６】
2015149702.tif 000008
【図７】
2015149702.tif 000009
【図８】
2015149702.tif 000010